(57)【要約】【課題】周辺機器が接続された表示装置において、表示の切り替え時の手間が不要で、突発的に入力される周辺装置からのステータス情報や映像等に対しても、重要性に応じて適宜表示することが可能なデータ表示システムを提供する。【解決手段】各データ処理装置は、チャネル切替要求、及びチャネル切替要求の優先度を示す優先度情報を、デジタルテレビ２に送信するチャネル切替要求手段３２，４２，５２を具備し、チャネル切替要求及び優先度情報を受信した場合、当該優先度情報と、現在表示データの表示を行っているチャネルの優先度情報とを比較して、表示データの表示を行うチャネルを、何れか優先度の高い方のチャネルに設定するチャネル切替手段を具備している。【選択図】  図２
2004193930.tif 000002
【特許請求の範囲】
【請求項１】
ネットワークインタフェース及び複数のチャネルに対応する複数のアナログ入力インタフェースを有し、前記アナログ入力インタフェースから入力される表示データの表示を行う表示装置と、
前記表示装置のアナログ入力インタフェースにアナログ通信線を介して接続されるとともに、前記表示装置のネットワークインタフェースにネットワークを介して接続されたデータ処理装置と、
を備えたデータ表示システムにおいて、
前記データ処理装置は、前記表示装置が表示データを表示するチャネルを、当該データ処理装置に対応するチャネルへ切り替えるように要求するチャネル切替要求、及び前記チャネル切替要求の優先度を示す優先度情報を、前記表示装置に送信するチャネル切替要求手段を具備し、
前記表示装置は、前記チャネル切替要求及び前記優先度情報を受信した場合、当該優先度情報と、現在表示データの表示を行っているチャネルの優先度情報とを比較して、表示データの表示を行うチャネルを、何れか優先度の高い方のチャネルに設定するチャネル切替手段を具備していること
を特徴とするデータ表示システム。
【請求項２】
前記データ処理装置は、前記ネットワークを介して、当該データ処理装置が表示データの出力を終了したことを表す切替解除情報を前記表示装置に送信する切替解除指示手段を備え、
前記表示装置は、
前記表示データを表示しているチャネルが、現在表示データの表示を行っているチャネルから他のチャネルに切り替えられる際に、その切り替え前に表示データの表示を行っているチャネルの識別コードを記憶するチャネル記憶手段と、
前記切替解除情報を受信した場合に、表示データの表示を行うチャネルを前記チャネル記憶手段に記憶されたチャネルに切り替えるチャネル復帰手段と、
を備えていることを特徴とする請求項１記載のデータ表示システム。
【請求項３】
前記ネットワークは、デジタル通信ネットワークであることを特徴とする請求項１記載のデータ表示システム。
【請求項４】
前記データ処理装置が出力する表示データは、映像データであることを特徴とする請求項１記載のデータ表示システム。
【請求項５】
前記データ処理装置が出力する表示データは、突発的に発生する当該データ処理装置の状態を通知するための表示データであることを特徴とする請求項１記載のデータ表示システム。
【請求項６】
前記データ処理装置が出力する表示データは、突発的に発生する警報を通知するための表示データであることを特徴とする請求項１記載のデータ表示システム。
【請求項７】
前記データ処理装置は、通常の表示データに対する優先度を表す第１の優先度情報と、突発的に発生する情報を通知するための表示データに対する優先度を表す第２の優先度情報とを設定する優先度設定手段を有し、
前記チャネル切替要求手段は、表示装置に送信する表示データが通常の表示データである場合には、前記表示装置に対して前記チャネル切替要求及び前記第１の優先度情報を送信する一方、前記表示装置に送信する表示データが、突発的に発生する情報を通知する表示データである場合には、前記表示装置に対して前記チャネル切替要求及び前記第２の優先度情報を送信するものであることを特徴とする請求項１乃至６の何れか一に記載のデータ表示システム。
【請求項８】
前記表示装置は、
アナログ入力インタフェースから入力される表示データを記録する表示データ記録手段と、
前記チャネル切替手段が表示データの表示を行うチャネルの切り替えを行った場合、当該切り替えを行った直後から、当該切り替えを行う前のチャネルに対応するアナログ入力インタフェースから入力される表示データを前記表示データ記録手段に録画する一時録画手段
を有することを特徴とする請求項１又は２記載のデータ表示システム。
【請求項９】
前記表示装置は、
前記チャネル復帰手段により、表示データの表示を行うチャネルを前記チャネル記憶手段に記憶されたチャネルに切り替えられた場合において、前記表示データ記録手段に録画された表示データを、録画された順に順次再生する復帰後再生手段
を有し、
前記一時録画手段は、前記復帰後再生手段が表示データの再生を開始した後も、継続して前記アナログ入力インタフェースから入力される表示データを表示データ記録手段に録画すること
を特徴とする請求項８記載のデータ表示システム。
【請求項１０】
前記復帰後再生手段が、表示データ記録手段に録画された表示データの再生を開始した場合に、現在表示データ記録手段に録画されておりまだ再生がされていない表示データの記録時間を表示するズレ時間表示手段
を備えていることを特徴とする請求項９記載のデータ表示システム。
【請求項１１】
前記表示装置において、前記チャネル切替手段がチャネルの優先度情報を比較した結果、チャネルの切り替えを行わなかった場合において、前記チャネル切替要求及び前記優先度情報を送信したデータ処理装置に対して拒否情報を送信する拒否情報送信手段と、
前記情報処理装置において、前記拒否情報を受信した場合に、表示データがテキスト情報で代用できるものであれば、前記ネットワークを介して、前記表示装置に対してテキスト表示要求及び前記テキスト情報を送信するテキスト情報送信手段と、
前記表示装置において、前記テキスト表示要求及び前記テキスト情報を受信した場合、前記テキスト情報を、現在表示しているチャネルの表示データの映像に対してテロップとして重ね合わせて表示を行うテロップ表示手段と、
を備えていることを特徴とする請求項１記載のデータ表示システム。
【請求項１２】
複数のチャネルに対応する複数のアナログ入力インタフェースを有し、前記アナログ入力インタフェースから入力される表示データの表示を行う表示装置と、
前記表示装置のアナログ入力インタフェースにアナログ通信線を介して接続されたデータ処理装置と、
を備えたデータ表示システムにおいて、
前記表示装置は、
前記各アナログ入力インタフェースに対応するチャネルに付けられた優先度を示す優先度情報を記憶する優先度情報記憶手段と、
或るアナログ入力インタフェースに、前記アナログ通信線を介して接続された前記データ処理装置から、表示データの送信が開始された場合、当該アナログ入力インタフェースに対応するチャネルの前記優先度情報と、現在表示データの表示を行っているチャネルに対する優先度情報とを比較して、表示データの表示を行うチャネルを、何れか優先度の高い方のチャネルに設定するチャネル切替手段と、
を具備していることを特徴とするデータ表示システム。
【請求項１３】
前記データ処理装置が出力する表示データは、突発的に発生する当該データ処理装置の状態を通知するための表示データであることを特徴とする請求項１２記載のデータ表示システム。
【請求項１４】
前記データ処理装置が出力する表示データは、突発的に発生する警報を通知するための表示データであることを特徴とする請求項１２記載のデータ表示システム。
【請求項１５】
前記表示装置は、
アナログ入力インタフェースから入力される表示データを記録する表示データ記録手段と、
前記チャネル切替手段が表示データの表示を行うチャネルの切り替えを行った場合、当該切り替えを行った直後から、当該切り替えを行う前のチャネルに対応するアナログ入力インタフェースから入力される表示データを前記表示データ記録手段に録画する一時録画手段
を有することを特徴とする請求項１２記載のデータ表示システム。
【請求項１６】
前記表示装置は、
前記表示データを表示しているチャネルが、現在表示データの表示を行っているチャネルから他のチャネルに切り替えられる際に、その切り替え前に表示データの表示を行っているチャネルの識別コードを記憶するチャネル記憶手段と、
前記チャネル切替手段が表示チャネルの切り替えを行った後に、当該切り替え後に表示データの表示を行っているチャネルに対するアナログ入力インタフェースから、表示データの入力が検出されなくなった場合において、表示データの表示を行うチャネルを、前記チャネル記憶手段に記憶されたチャネルに切り替えるチャネル復帰手段と、
前記チャネル復帰手段によりチャネルの切り替えが行われた場合において、前記表示データ記録手段に録画された表示データを、録画された順に順次再生する復帰後再生手段と、
を備え、
前記一時録画手段は、前記復帰後再生手段が表示データの再生を開始した後も、継続して前記アナログ入力インタフェースから入力される表示データを表示データ記録手段に録画すること
を特徴とする請求項１５記載のデータ表示システム。
【発明の詳細な説明】
【０００１】
【発明の属する技術分野】
本発明は、テレビ等の表示装置を利用して、その表示装置に接続される周辺装置及びそれに準じる装置の動作状態の情報やそれらの装置が取得する情報を表示するデータ表示技術に関する。
【０００２】
【従来の技術】
近年、家庭内外における情報機器の高機能化に伴い、各情報機器の状態に関する情報や設定項目に関する情報等が増えてきている。また、各情報機器において、非同期に発生するステータスをユーザへ通知するための通知情報も多く発生するようになってきている。
【０００３】
従来は、テレビ等の表示装置に接続される情報機器では、各情報機器に関する情報の確認や設定を行う場合は、その情報機器に備えられているＬＣＤやＬＥＤ等の表示素子により現在の情報機器の設定状態を表示し、ユーザに対して、現在の情報機器の設定状態を認識させる。そして、ユーザは、表示された情報機器の設定状態を見て、ＫＥＹやリモコン等の入力手段を用いて確認や設定を行うか、又は、一旦、表示装置に備えられた入力手段を用いて、表示装置が現在入力を受け付けている入力端子切り替えを行った後に、表示装置の画面を見ながら情報機器に備えられたＫＥＹやリモコン等の入力手段を用いて確認や設定を行う。
【０００４】
また、情報機器において突発的に発生するステータス変化等の情報をユーザに通知する場合には、一般的には、情報機器に備えられたＬＣＤやＬＥＤ等に表示装置にこれらの情報を表示することにより情報の通知を行っていた。
【０００５】
また、デジタルインターフェイスとアナログの映像出力信号を出力するアナログインタフェースとを備えた情報機器では、そのアナログ映像信号を切り替える際に、デジタルインターフェイスを使用しているものも知られている（例えば、特許文献１参照）。
【０００６】
【特許文献１】
特開２００１−３５９００７号公報
【０００７】
【発明が解決しようとする課題】
しかしながら、上記従来のデータ表示処理装置では、ユーザが、テレビ等の表示装置に接続された情報機器の設定状態の情報や設定項目の情報等を表示装置に表示させる場合、一旦、表示装置のリモコンにより、表示装置の外部入力の切り替えを行った後に、情報機器のリモコン等の入力手段を用いて設定状態の情報等を表示させる操作を行わなければならない。そのため、ユーザにとって面倒な作業手順が発生するという課題があった。
【０００８】
また、プリンタのエラー情報等のように突発的に発生するステータス変化等の情報（以下、「突発的情報」という。）については、情報機器のユーザインタフェースに表示しただけでは、ユーザは発見しにくいという課題があった。そこで、これらの突発的情報をテレビ等の表示装置に表示させて確認できるようにしようとした場合、突発的情報が発生する度に、ユーザが手動で表示装置の外部入力の切り替えをリモコン等の入力手段を用いて行う必要があった。
【０００９】
さらに、仮に、情報機器の情報を表示させる必要が生じた際に、テレビ等の表示装置の外部入力を自動的に切り替えるように構成した場合には、表示装置の表示が切り替わる直前にユーザがリアルタイムに視聴していた映像を見逃してしまう事態が生じるという問題が発生することが想定される。
【００１０】
そこで、本発明の目的は、周辺機器が接続された表示装置において、表示の切り替え時のユーザの手間が不要であり、また、突発的に入力される周辺装置からのステータス情報や映像等に対しても、重要性に応じて適宜表示することが可能なデータ表示システムを提供することにある。
【００１１】
【課題を解決するための手段】
上記課題を解決するため、本発明に係るデータ表示システムは、ネットワークインタフェース及び複数のチャネルに対応する複数のアナログ入力インタフェースを有し、前記アナログ入力インタフェースから入力される表示データの表示を行う表示装置と、前記表示装置のアナログ入力インタフェースにアナログ通信線を介して接続されるとともに、前記表示装置のネットワークインタフェースにネットワークを介して接続されたデータ処理装置と、を備えたデータ表示システムにおいて、前記データ処理装置は、前記表示装置が表示データを表示するチャネルを、当該データ処理装置に対応するチャネルへ切り替えるように要求するチャネル切替要求、及び前記チャネル切替要求の優先度を示す優先度情報を、前記表示装置に送信するチャネル切替要求手段を具備し、前記表示装置は、前記チャネル切替要求及び前記優先度情報を受信した場合、当該優先度情報と、現在表示データの表示を行っているチャネルの優先度情報とを比較して、表示データの表示を行うチャネルを、何れか優先度の高い方のチャネルに設定するチャネル切替手段を具備していることを特徴とする。
【００１２】
これにより、上記システムにおいて、チャネルに応じた優先度情報に伴って表示切り替えを行うことができる。
【００１３】
【発明の実施の形態】
本発明の請求項１に係るデータ表示システムは、ネットワークインタフェース及び複数のチャネルに対応する複数のアナログ入力インタフェースを有し、アナログ入力インタフェースから入力される表示データの表示を行う表示装置と、表示装置のアナログ入力インタフェースにアナログ通信線を介して接続されるとともに、表示装置のネットワークインタフェースにネットワークを介して接続されたデータ処理装置と、を備えたデータ表示システムにおいて、データ処理装置は、表示装置が表示データを表示するチャネルを、当該データ処理装置に対応するチャネルへ切り替えるように要求するチャネル切替要求、及びチャネル切替要求の優先度を示す優先度情報を、表示装置に送信するチャネル切替要求手段を具備し、表示装置は、チャネル切替要求及び優先度情報を受信した場合、当該優先度情報と、現在表示データの表示を行っているチャネルの優先度情報とを比較して、表示データの表示を行うチャネルを、何れか優先度の高い方のチャネルに設定するチャネル切替手段を具備していることを特徴とする。
【００１４】
この構成により、表示データの発生ごとにチャネルの切り替えを行う手間を省くことができ、かつ、そのチャネルの優先情報によって、インテリジェントに切り替えを行うことができるという作用を有する。
【００１５】
本発明の請求項２に係る発明は、請求項１に係るデータ表示システムおいて、データ処理装置は、ネットワークを介して、当該データ処理装置が表示データの出力を終了したことを表す切替解除情報を表示装置に送信する切替解除指示手段を備え、表示装置は、表示データを表示しているチャネルが、現在表示データの表示を行っているチャネルから他のチャネルに切り替えられる際に、その切り替え前に表示データの表示を行っているチャネルの識別コードを記憶するチャネル記憶手段と、切替解除情報を受信した場合に、表示データの表示を行うチャネルをチャネル記憶手段に記憶されたチャネルに切り替えるチャネル復帰手段と、を備えていることを特徴とする。
【００１６】
この構成により、表示データの発生前に表示していたチャネルの表示復帰を自動的に行うことができるという作用を有する。
【００１７】
本発明の請求項３に係る発明は、請求項１に係るデータ表示システムおいて、ネットワークは、デジタル通信ネットワークであることを特徴とする。
【００１８】
この構成により、容易な相互機種認識と装置間情報の伝達が容易になるという作用を有する。
【００１９】
本発明の請求項４に係る発明は、請求項１に係るデータ表示システムおいて、データ処理装置が出力する表示データは、映像データであることを特徴とする。
【００２０】
この構成により、情報の伝達の際に、映像データのようなグラフィクス・ユーザ・インタフェース（ＧＵＩ）を通すことによって、ユーザの認識・判断を容易にするという作用を有する。
【００２１】
本発明の請求項５に係る発明は、請求項１に係るデータ表示システムおいて、データ処理装置が出力する表示データは、突発的に発生する当該データ処理装置の状態を通知するための表示データであることを特徴とする。
【００２２】
この構成により、突発的なデータ処理装置の状態通知についての表示を自動的に行うことができるという作用を有する。
【００２３】
本発明の請求項６に係る発明は、請求項１に係るデータ表示システムおいて、データ処理装置が出力する表示データは、突発的に発生する警報を通知するための表示データであることを特徴とする。
【００２４】
この構成により、突発的なデータ処理装置の警報を自動的に出すことができるという作用を有する。
【００２５】
本発明の請求項７に係る発明は、請求項１乃至６の何れか一に係るデータ表示システムおいて、データ処理装置は、通常の表示データに対する優先度を表す第１の優先度情報と、突発的に発生する情報を通知するための表示データに対する優先度を表す第２の優先度情報とを設定する優先度設定手段を有し、チャネル切替要求手段は、表示装置に送信する表示データが通常の表示データである場合には、表示装置に対してチャネル切替要求及び第１の優先度情報を送信する一方、表示装置に送信する表示データが、突発的に発生する情報を通知する表示データである場合には、表示装置に対してチャネル切替要求及び第２の優先度情報を送信するものであることを特徴とする。
【００２６】
この構成により、同一装置から来る情報に関しても、優先度をもった表示形態を構築することができ、高度な要求の表示を自動的に行うことができるという作用を有する。
【００２７】
本発明の請求項８に係る発明は、請求項１又は２に係るデータ表示システムおいて、表示装置は、アナログ入力インタフェースから入力される表示データを記録する表示データ記録手段と、チャネル切替手段が表示データの表示を行うチャネルの切り替えを行った場合、当該切り替えを行った直後から、当該切り替えを行う前のチャネルに対応するアナログ入力インタフェースから入力される表示データを表示データ記録手段に録画する一時録画手段を有することを特徴とする。
【００２８】
この構成により、切り替え前のチャネルを途切れることなく装置に自動録画するという作用を有する。
【００２９】
本発明の請求項９に係る発明は、請求項８に係るデータ表示システムおいて、表示装置は、チャネル復帰手段により、表示データの表示を行うチャネルをチャネル記憶手段に記憶されたチャネルに切り替えられた場合において、表示データ記録手段に録画された表示データを、録画された順に順次再生する復帰後再生手段を有し、一時録画手段は、復帰後再生手段が表示データの再生を開始した後も、継続してアナログ入力インタフェースから入力される表示データを表示データ記録手段に録画することを特徴とする。
【００３０】
この構成により、一時的にチャネル切り替えが発生した元の表示を途切れることなく自動録画するという作用を有する。
【００３１】
本発明の請求項１０に係る発明は、請求項９に係るデータ表示システムおいて、復帰後再生手段が、表示データ記録手段に録画された表示データの再生を開始した場合に、現在表示データ記録手段に録画されておりまだ再生がされていない表示データの記録時間を表示するズレ時間表示手段を備えていることを特徴とする。
【００３２】
この構成により、自動録画再生機能の時間ズレをユーザへ認識させるという作用を有する。
【００３３】
本発明の請求項１１に係る発明は、請求項１に係るデータ表示システムおいて、表示装置において、チャネル切替手段がチャネルの優先度情報を比較した結果、チャネルの切り替えを行わなかった場合において、チャネル切替要求及び優先度情報を送信したデータ処理装置に対して拒否情報を送信する拒否情報送信手段と、情報処理装置において、拒否情報を受信した場合に、表示データがテキスト情報で代用できるものであれば、ネットワークを介して、表示装置に対してテキスト表示要求及びテキスト情報を送信するテキスト情報送信手段と、表示装置において、テキスト表示要求及びテキスト情報を受信した場合、テキスト情報を、現在表示しているチャネルの表示データの映像に対してテロップとして重ね合わせて表示を行うテロップ表示手段と、を備えていることを特徴とする。
【００３４】
この構成により、優先情報が示す優先度の低い表示に対して優先情報が示す優先度の高い表示を中断させることなく、かつ、優先情報が示す優先度の低い表示情報を伝達することができるという作用を有する。
【００３５】
本発明の請求項１２に係るデータ表示システムは、複数のチャネルに対応する複数のアナログ入力インタフェースを有し、アナログ入力インタフェースから入力される表示データの表示を行う表示装置と、表示装置のアナログ入力インタフェースにアナログ通信線を介して接続されたデータ処理装置と、を備えたデータ表示システムにおいて、表示装置は、各アナログ入力インタフェースに対応するチャネルに付けられた優先度を示す優先度情報を記憶する優先度情報記憶手段と、或るアナログ入力インタフェースに、アナログ通信線を介して接続されたデータ処理装置から、表示データの送信が開始された場合、当該アナログ入力インタフェースに対応するチャネルの優先情報と、現在表示データの表示を行っているチャネルに対する優先度情報とを比較して、表示データの表示を行うチャネルを、何れか優先度の高い方のチャネルに設定するチャネル切替手段と、を具備していることを特徴とする。
【００３６】
この構成により、同期若しくは非同期に発生するアナログ入力情報を、優先情報に基づいて自動切り替えが可能になるという作用を有する。
【００３７】
本発明の請求項１３に係る発明は、請求項１２に係るデータ表示システムおいて、データ処理装置が出力する表示データは、突発的に発生する当該データ処理装置の状態を通知するための表示データであることを特徴とする。
【００３８】
この構成により、突発的に発生する当該データ処理装置の状態通知表示の自動切り替えが可能となるという作用を有する。
【００３９】
本発明の請求項１４に係る発明は、請求項１２に係るデータ表示システムおいて、データ処理装置が出力する表示データは、突発的に発生する警報を通知するための表示データであることを特徴とする。
【００４０】
この構成により、突発的に発生する警告データ通知表示の自動切り替えが可能になるという作用を有する。
【００４１】
本発明の請求項１５に係る発明は、請求項１２に係るデータ表示システムおいて、表示装置は、アナログ入力インタフェースから入力される表示データを記録する表示データ記録手段と、チャネル切替手段が表示データの表示を行うチャネルの切り替えを行った場合、当該切り替えを行った直後から、当該切り替えを行う前のチャネルに対応するアナログ入力インタフェースから入力される表示データを表示データ記録手段に録画する一時録画手段を有することを特徴とする。
【００４２】
この構成により、切り替え前のチャネルを途切れることなく装置に自動録画するという作用を有する。
【００４３】
本発明の請求項１６に係る発明は、請求項１５に係るデータ表示システムおいて、表示装置は、表示データを表示しているチャネルが、現在表示データの表示を行っているチャネルから他のチャネルに切り替えられる際に、その切り替え前に表示データの表示を行っているチャネルの識別コードを記憶するチャネル記憶手段と、チャネル切替手段が表示チャネルの切り替えを行った後に、当該切り替え後に表示データの表示を行っているチャネルに対するアナログ入力インタフェースから、表示データの入力が検出されなくなった場合において、表示データの表示を行うチャネルを、チャネル記憶手段に記憶されたチャネルに切り替えるチャネル復帰手段と、チャネル復帰手段によりチャネルの切り替えが行われた場合において、表示データ記録手段に録画された表示データを、録画された順に順次再生する復帰後再生手段と、を備え、一時録画手段は、復帰後再生手段が表示データの再生を開始した後も、継続してアナログ入力インタフェースから入力される表示データを表示データ記録手段に録画することを特徴とする。
【００４４】
この構成により、一時的にチャネル切り替えが発生した元の表示を途切れることなく自動録画するという作用を有する。
【００４５】
以下、本発明の一実施の形態について、図面を参照しながら説明する。
【００４６】
（実施の形態１）
図１は本発明の実施の形態１に係るデータ表示システムの構成図である。
【００４７】
図１において、本発明に係るデータ表示システム１は、表示装置であるデジタルテレビ２と、データ処理装置であるビデオ出力装置３、テレビプリンタ４、及びインターフォン５を有している。そして、デジタルテレビ２とビデオ出力装置３、テレビプリンタ４、及びインターフォン５とは、同軸の信号線からなるアナログ通信線６及びデジタル通信ネットワーク７により接続されている。
【００４８】
ここで、デジタルテレビ２とビデオ出力装置３とを接続する際には、ビデオ出力装置３に対し、ビデオ出力装置３が接続されているデジタルテレビ２の外部アナログ入力の接続番号を設定する。なお、この設定は、ビデオ出力装置３の操作用のリモコンか、又はビデオ出力装置３の本体前面の操作パネル等のユーザインタフェースによって行う。
【００４９】
また、テレビプリンタ４及びインターフォン５に対しても、同様に、テレビプリンタ４又はインターフォン５が接続されているデジタルテレビ２の外部アナログ入力の接続番号を設定する。
【００５０】
図２は本発明の実施の形態１に係るデータ表示システムの機能ブロック図である。
【００５１】
図２において、表示装置であるデジタルテレビ２は、ネットワークインタフェース１０、アナログ入力インタフェースである映像入力インタフェース１１及び外部入力インタフェース１２，１３，１４、ネットワーク制御部１５、入出力制御部１６、表示制御部１７、表示部１８、表示データ記録手段１９、一時録画手段２０、復帰後再生手段２１、外部出力インタフェース２２，２３を有する。
【００５２】
ネットワーク制御部１５は、ネットワークインタフェース１０を介して、デジタル通信ネットワーク７に対するデータ通信の制御を行う。入出力制御部１６は、デジタルテレビ２のデータの入出力を制御する。表示制御部１７は、ディスプレイ等からなる表示部１８により表示データの表示等を行うための制御をする。表示データ記録手段１９は、入力された表示データを一時的に記憶する。一時録画手段２０は、チャネルの切り替えが行われた際に、当該切り替えが行われた直後から、当該切り替えを行う前のチャネルから入力される表示データを表示データ記録手段１９に録画する。復帰後再生手段２１は、チャネルの切り替えが解除された際に、表示データ記録手段１９に録画された表示データを、録画された順に順次再生する。
【００５３】
ビデオ出力装置３は、ネットワークインタフェース３０、アナログ出力インタフェースである映像出力インタフェース３１、チャネル切替要求手段３２、優先度設定手段３３、表示データ出力手段３４、切替解除指示手段３５、テキスト情報送信手段３６を有する。
【００５４】
チャネル切替要求手段３２は、デジタルテレビ２が表示データを表示するチャネルを、ビデオ出力装置３に対応するチャネルへ切り替えるように要求するチャネル切替要求、及びチャネル切替要求の優先度を示す優先度情報を、デジタル通信ネットワーク７を介してデジタルテレビ２に送信する。優先度設定手段３３は、チャネル切替要求手段３２に対して、通常の表示データに対する優先度を表す第１の優先度情報と、突発的に発生する情報を通知するための表示データに対する優先度を表す第２の優先度情報とを設定する。表示データ出力手段３４は、アナログ通信線６を介して、デジタルテレビ２に表示させるべき映像データを出力する。切替解除指示手段３５は、ビデオ出力装置３が表示データの出力を終了したことを表す切替解除情報を、デジタル通信ネットワーク７を介してデジタルテレビ２に送信する。テキスト情報送信手段３６は、デジタルテレビ２からデジタル通信ネットワーク７を介して送信される拒否情報を受信した場合に、表示データがテキスト情報で代用できるものであれば、デジタル通信ネットワーク７を介して、デジタルテレビ２に対してテキスト表示要求及びテキスト情報を送信する。
【００５５】
テレビプリンタ４は、ネットワークインタフェース４０、アナログ出力インタフェースである外部出力インタフェース４１、チャネル切替要求手段４２、優先度設定手段４３、表示データ出力手段４４、切替解除指示手段４５、テキスト情報送信手段４６を有する。
【００５６】
同様に、インターフォン５は、ネットワークインタフェース５０、アナログ出力インタフェースである外部出力インタフェース５１、チャネル切替要求手段５２、優先度設定手段５３、表示データ出力手段５４、切替解除指示手段５５、テキスト情報送信手段５６を有する。
【００５７】
ここで、チャネル切替要求手段４２、優先度設定手段４３、表示データ出力手段４４、切替解除指示手段４５、テキスト情報送信手段４６は、それぞれ、チャネル切替要求手段３２、優先度設定手段３３、表示データ出力手段３４、切替解除指示手段３５、テキスト情報送信手段３６と同様の機能を有する。
【００５８】
また、チャネル切替要求手段５２、優先度設定手段５３、表示データ出力手段５４、切替解除指示手段５５、テキスト情報送信手段５６も、それぞれ、チャネル切替要求手段３２、優先度設定手段３３、表示データ出力手段３４、切替解除指示手段３５、テキスト情報送信手段３６と同様の機能を有する。
【００５９】
図３は図２の入出力制御部の機能ブロック図である。
【００６０】
図３において、入出力制御部１６は、チャネル切替手段６０、信号検出回路６１，６２，６３、拒否情報送信手段６４、優先情報記憶手段６５、チャネル記憶手段６６、チャネル復帰手段６７、ズレ時間表示手段６８、及びテロップ表示手段６９を有する。
【００６１】
チャネル切替手段６０は、チャネル切替要求及び優先度情報を受信した場合、当該優先度情報と、現在表示データの表示を行っているチャネルの優先度情報とを比較して、表示データの表示を行うチャネルを、何れか優先度の高い方のチャネルに設定する。
【００６２】
信号検出回路６１，６２，６３は、外部入力インタフェース１２，１３，１４からアナログ通信線６を介して入力されるアナログ信号を検出し、検出信号と映像信号とに分離してチャネル切替手段６０に対して出力する。
【００６３】
拒否情報送信手段６４は、チャネル切替手段６０がチャネルの優先度情報を比較した結果、チャネルの切り替えを行わなかった場合において、チャネル切替要求及び前記優先度情報を送信したデータ処理装置（ビデオ出力装置３、テレビプリンタ４、又はインターフォン５）に対して拒否情報を送信する。
【００６４】
優先情報記憶手段６５は、各アナログ入力インタフェース（映像入力インタフェース１１、又は外部入力インタフェース１２，１３，１４）に対応するチャネルに付けられた優先度を示す入力優先度情報を記憶する。
【００６５】
チャネル記憶手段６６は、表示データを表示しているチャネルが、現在表示データの表示を行っているチャネルから他のチャネルに切り替えられる際に、その切り替え前に表示データの表示を行っているチャネルの識別コードを記憶する。
【００６６】
チャネル復帰手段６７は、切替解除情報を受信した場合に、表示データの表示を行うチャネルをチャネル記憶手段６６に記憶されたチャネルに切り替える。
【００６７】
ズレ時間表示手段６８は、復帰後再生手段２１が、表示データ記録手段１９に録画された表示データの再生を開始した場合に、現在表示データ記録手段１９に録画されておりまだ再生がされていない表示データの記録時間を表示部１８に表示する。
【００６８】
テロップ表示手段６９は、テキスト表示要求及び前記テキスト情報を受信した場合、テキスト情報を、現在表示しているチャネルの表示データの映像に対してテロップとして重ね合わせて表示を行う。
【００６９】
以上のように構成された本実施の形態に係るデータ表示システムについて、以下その動作を説明する。
【００７０】
図４は本発明の実施の形態１に係るデータ表示システムのチャネル切り替え動作を表すフローチャートである。
【００７１】
図４において、ユーザがデータ処理装置、例えば、ビデオ出力装置３に対して映像の再生の指示を入力すると、ビデオ出力装置３のチャネル切替要求手段３２は、デジタルテレビ２に対してデジタル通信ネットワーク７を介して、チャネル切替要求、外部入力番号情報（識別コード）、及び優先度情報を送信する（Ｓ１）。
【００７２】
デジタルテレビ２のチャネル切替手段６０は、これらの情報を受信すると、現在表示部１８に表示しているチャネル（以下、「チャネルＡ」という。）の優先度と、ビデオ出力装置３から送信されてきた優先情報から得られる優先度との比較を行う。そして、ビデオ出力装置３から送信されてきた優先情報から得られる優先度のほうが高い場合は、ビデオ出力装置３から送信されてきたチャネル切替要求を受理する（Ｓ２）。
【００７３】
チャネル切替要求を受理すると、チャネル切替手段６０は、表示部１８に表示するチャネルを、ビデオ出力装置３に対応するチャネル（以下、「チャネルＢ」という。）に切り替える（Ｓ３）。これにより、ビデオ出力装置３の表示データ出力手段３４から送信される表示データが、表示部１８に表示されるようになる。
【００７４】
なお、この際、チャネル記憶手段６６は、表示データを表示しているチャネルが、現在表示データの表示を行っているチャネルＡから他のチャネルＢに切り替えられる際に、その切り替え前に表示データの表示を行っているチャネルＡの識別コードを記憶する（Ｓ４）。
【００７５】
上記チャネルの切り替えが行われると、一時録画手段２０は、当該切り替えを行う前のチャネルＡから入力される表示データを、表示データ記録手段１９に録画し始める（Ｓ５）。
【００７６】
一方、その後、ユーザの操作により、ビデオ出力装置３からの表示データの出力が停止された場合、ビデオ出力装置３の切替解除指示手段３５は、デジタル通信ネットワーク７を介して、デジタルテレビ２へ切替解除情報を送信する（Ｓ６）。
【００７７】
デジタルテレビ２のチャネル復帰手段６７は、切替解除情報を受理すると（Ｓ７）、チャネル記憶手段６６から前記切り替え前に表示データの表示を行っていたチャネルＡの識別コードを取得し、表示部１８に表示をするチャネルを、その取得したチャネルＡに切り替える（Ｓ８）。
【００７８】
かかるチャネルの復帰切り替えが行われると、復帰後再生手段２１は、表示データ記録手段１９に記録されたチャネルＡの表示データを、録画されている順に順次再生を始める。また、一時録画手段２０は、引き続き、チャネルＡのアナログ通信線６から送信されてくる表示データを、逐次表示データ記録手段１９に録画し続ける（Ｓ９）。また、復帰後再生手段２１は、再生表示が終わった表示データについては、ユーザ設定等で特に指示がない限り、再生が終了すると同時に表示データ記録手段１９から消去し、表示データ記録手段１９内のメモリエリアに空き領域を作って、新たに録画可能なメモリエリア内の領域を確保する。
【００７９】
このとき、ズレ時間表示手段６８は、復帰後再生手段２１が録画された表示データの再生を開始した場合に、現在表示データ記録手段１９に録画されておりまだ再生がされていない表示データの記録時間を、テロップ表示により表示部１８に表示したり、デジタルテレビ２のユーザインタフェースの表示等によって表示する。これにより、ユーザは、チャネルＡの表示データの入力と、チャネルＡの表示データの表示との間に時間のズレが発生していることを認識できる。
【００８０】
最後に、デジタルテレビ２に対して、ユーザからのアクション等により、チャネルＡの表示を終了する指示が入力された場合（Ｓ１０）、復帰後再生手段２１は、チャネルＡの表示データの再生を終了すると共に、一時録画手段２０は、チャネルＡの表示データの録画を終了する（Ｓ１１）。そして、復帰後再生手段２１は、まだ再生表示が終わっていない分も含めて、表示データ記録手段１９内に録画されているチャネルＡの表示データを消去する（Ｓ１２）。
【００８１】
以上の動作は、ビデオ出力装置３からの割り込み表示の場合を例にとって説明したが、例えば、テレビプリンタ４から、インク切れの詳細情報や、紙詰まりの生じた箇所を示す情報のような突発的に生じる表示要求が発せられた場合や、インターフォン５やセキュリティシステム（図示せず）等から突発的に生じる表示要求が発せられた場合においても、同様な動作により表示データの表示が行われる。
【００８２】
図５は表示制御部の表示データの表示動作と表示データ記録手段の表示データの録画動作とのタイミングを表すタイミング図である。
【００８３】
図５において、上の行８１は表示制御部１７の表示する表示データを表し、下の行８２は表示データ記録手段１９に記録される表示データを表している。
【００８４】
初期状態では、表示制御部１７はチャネルＡの表示データを表示している。ここで、上記ステップＳ３においてチャネル切替手段６０によりチャネルの切り替えが行われると、表示制御部１７は、チャネルＢの表示データの表示を開始する（図５の符号８３）。そして、ステップＳ５において、一時録画手段２０は、チャネルＡの表示データの録画を開始する（図５の符号８８）。
【００８５】
一方、ステップＳ８において、チャネルの切り替えが解除された場合（図５の符号８４）、ズレ時間表示手段６８は、表示されている映像と実際に入力されている映像との時間がずれていることをユーザに通知するとともに（図５の符号８５）、復帰後再生手段２１は、チャネルＡに切り替え復帰がされるまでの間に表示データ記録手段１９に録画された表示データ（図５の符号８８）を再生し、表示制御部１７が表示部１８に表示する（図５の符号８９）。このとき、デジタルテレビ２に入力されるチャネルＡの表示データは、引き続き、一時録画手段２０により表示データ記録手段１９に継続して録画される（図５の符号９０）。復帰後再生手段２１は、チャネルＡに切り替え復帰がされるまでの間に表示データ記録手段１９に録画された表示データ（図５の符号８８）の再生が終了すると、継続して録画されたチャネルＡの表示データ（図５の符号９０）の再生を行い、表示制御部１７が表示部１８に表示する（図５の符号９１）。
【００８６】
そして、ステップＳ１０において、チャネルＡの表示終了指示が入力された場合、表示制御部１７は、チャネルＡの表示データの表示を終了する（図５の符号８６）。このとき、復帰後再生手段２１は、表示データ記録手段１９に録画されているチャネルＡの表示データの未再生分（図５の符号９２）を総て消去する。
【００８７】
図６は切替要求の優先度が低い場合におけるデータ表示システムのチャネル切り替え動作を表すフローチャートである。
【００８８】
図６において、例えば、テレビプリンタ４のチャネル切替要求手段４２が、デジタル通信ネットワーク７を介してデジタルテレビ２にチャネル切替要求及び優先情報を送信した場合（Ｓ２１）において、デジタルテレビ２のチャネル切替手段６０が、現在表示部１８に表示しているチャネルＡの優先度と、テレビプリンタ４から送信されてきた優先情報から得られる優先度との比較を行う。そして、テレビプリンタ４から送信されてきた優先情報から得られる優先度のほうが低いと判定された場合には、拒否情報送信手段６４は、デジタル通信ネットワーク７を介して、テレビプリンタ４に拒否情報を送信する（Ｓ２２）。
【００８９】
テレビプリンタ４のテキスト情報送信手段４６は、拒否情報を受信すると、送信しようとした表示データが、画像を伴わないでテキスト情報で代用できるような情報（例えば、テレビプリンタ４の紙詰まりの発生、インク切れ等の情報）であるかどうかを判断する。テキスト情報で代用できるような情報の場合には、テキスト情報送信手段４６は、デジタル通信ネットワークを介して、デジタルテレビ２にテキスト表示要求及びその優先情報を送信する（Ｓ２３）。
【００９０】
デジタルテレビ２のチャネル切替手段６０は、テレビプリンタ４から送信されてきた優先情報から得られる優先度とデジタルテレビ２との優先度の比較を行い、また、その他の装置設定（具体的には、例えば、設定した時間帯の番組情報等）を参照して、テキスト情報の表示を許可するか否かを判定し、許可すると判定した場合には、表示制御部１７の画面モードをテロップ表示が可能なモード（テロップ表示モード）に切り替える。そして、デジタル通信ネットワーク７を介して、テレビプリンタ４に対し受付許可情報を送信する（Ｓ２４）。
【００９１】
テレビプリンタ４のテキスト情報送信手段４６は、受付許可情報を受信すると、デジタル通信ネットワーク７を介して、デジタルテレビ２に上記テキスト情報を送信する（Ｓ２５）。
【００９２】
デジタルテレビ２のテロップ表示手段６９は、テキスト情報を受信すると、表示部１８の表示画面に、テキスト情報をテロップ表示する（Ｓ２６）。
【００９３】
最後に、テレビプリンタ４のテキスト情報送信手段４６は、テキスト情報の表示を終了する場合には、デジタル通信ネットワーク７を介して、デジタルテレビ２に対してテキスト表示終了情報を送信する（Ｓ２７）。
【００９４】
デジタルテレビ２のテロップ表示手段６９は、テキスト表示終了情報を受信すると、テキスト情報のテロップ表示を終了し（Ｓ２８）、画面モードを通常の表示モードに切り替える（Ｓ２９）。
【００９５】
なお、この場合、表示データ記録手段１９に録画している表示データの映像にテロップ情報が流れるのを防ぐために、表示データ記録手段１９に録画する表示データや外部出力インタフェース２２，２３に出力する表示データに対しては、テキスト情報の付加は行わない。
【００９６】
以上のような一連の処理により、ユーザは突発的な表示割り込みがあったような場合でも、デジタルテレビ２の表示部１８に表示される表示情報を見て対応することができる。また、チャネルＡについても、表示切り替えがされている間の録画された表示データの映像を見ることができるため、突発的な表示割り込みによる欠落が生じることなく、視聴することができる。
【００９７】
なお、本実施の形態においては、ユーザは、ビデオ出力装置３、テレビプリンタ４、インターフォン５等のデータ処理装置の優先度設定手段３３を用いて、通常の表示データに対する優先度情報Ｘと、突発的に発生する情報を通知するための表示データに対する優先度情報Ｙとを個別に設定することもできる。これによって、緊急度の高い映像等を、ユーザに対して適宜提供することが可能となる。
【００９８】
（実施の形態２）
図７は本発明の実施の形態２に係るデータ表示システムの構成図である。
【００９９】
図７において、本実施の形態に係るデータ表示システム１’は、デジタルテレビ２、ビデオ出力装置３を有し、デジタルテレビ２とビデオ出力装置３は、アナログ通信線６及びデジタル通信ネットワーク７により接続されているが、これらは図１と同様のものである。また、データ表示システム１’は、テレビプリンタ４’及びインターフォン５’を有している。これらは、アナログ通信線６のみで、デジタルテレビ２に接続されている。
【０１００】
なお、本実施の形態のデータ表示システム１’の機能ブロック図は、基本的には図２、図３と同様となるが、テレビプリンタ４’及びインターフォン５’は、ネットワークインタフェース４０，５０、チャネル切替要求手段４２，５２、優先度設定手段４３，５３、切替解除指示手段４５，５５、及びテキスト情報送信手段４６を有していない点で異なる。
【０１０１】
以上のように構成された本実施の形態に係るデータ表示システムにおいて、以下その動作を説明する。
【０１０２】
図８は本発明の実施の形態２に係るデータ表示システムのチャネル切り替え動作を表すフローチャートである。
【０１０３】
図８において、例えば、インターフォン５’の外部出力インタフェース５１からアナログ通信線６に出力している映像信号（表示データ）に変化が生じると（Ｓ３０）、その信号変化は、デジタルテレビ２の外部入力インタフェース１４を通して、信号検出回路６３に伝達される。信号検出回路６３は、映像信号の変化を検出すると、チャネル切替手段６０に対して検出信号を出力する（Ｓ３１）。
【０１０４】
チャネル切替手段６０は、映像信号の変化が検出されたチャネル（以下、「チャネルＣ」という。）の優先度情報を、優先情報記憶手段６５から取得する。そして、現在表示部１８に表示データの表示を行っているチャネル（以下、「チャネルＤ」という。）の優先度と、チャネルＣの優先度とを比較して（Ｓ３２）、チャネルＣの優先度のほうが高い場合には、表示部１８へ表示データの表示を行うチャネルを、チャネルＣに切り替える（Ｓ３３）。このとき、チャネルＤの表示データについては、実施の形態１と同様に、一時録画手段２０が表示データ記録手段１９に録画する（Ｓ３４）。
【０１０５】
一方、インターフォン５’の映像信号の発生が停止された場合（Ｓ３５）、チャネルＣの映像入力は検出されなくなる。従って、信号検出回路６３は、検出信号の出力をやめる。
【０１０６】
チャネル切替手段６０は、信号検出回路６３からの検出信号の出力がなくなると、表示部１８へ表示データの表示を行うチャネルを、チャネルＤに切り替えて復帰させる（Ｓ３６）。このとき、チャネルＤの表示データについては、実施の形態１と同様に、復帰度再生手段２１が表示データ記録手段１９に録画されたチャネルＤの表示データを再生すると共に、一時録画手段２０は引き続き表示データ記録手段１９に録画する（Ｓ３７）。
【０１０７】
【発明の効果】
以上のように、本願請求項１に係るデータ表示システムによれば、周辺装置であるデータ処理装置の映像や情報に対して、表示情報側の操作を行うことなく、表示の切り替えが可能となる。また、突発的に発生する表示データの場合も含めて、周辺装置側の映像や情報に対して、表示の切り替え不可の条件等の設定が可能となる。
【０１０８】
本願請求項２に係る発明によれば、請求項１で自動的に切り替えたチャネル表示を元のチャネル表示に戻す際の、表示情報側の操作を行うことがないという効果が得られる。
【０１０９】
本願請求項３に係る発明によれば、オフィスネットワークのみならず、ホームネットワークが採用され正確かつ高速で情報の伝達が可能であるという効果が得られる。
【０１１０】
本願請求項４に係る発明によれば、視覚的に判りやすく、かつ印象に残りやすい情報の伝達を可能にするという効果が得られる。
【０１１１】
本願請求項５に係る発明によれば、突発的に発生する当該データ処理装置の状態を、自動切り替えによって表示することにより、ユーザは見逃すことなく状態を認識できるという効果が得られる。
【０１１２】
本願請求項６に係る発明によれば、突発的に発生する警告に対して自動切り替えによって表示することにより、ユーザは見逃すことなく警告を認識できるという効果が得られる。
【０１１３】
本願請求項７に係る発明によれば、通常の表示に対する優先情報と突発的な情報表示に対する優先情報を持ち、かつ伝送し、表示切り替えの判断に使用することによって同一データ処理装置から送られてくるデータに対して重要度に応じて表示切り替えを可能にするという効果が得られる。
【０１１４】
本願請求項８に係る発明によれば、表示切り替え期間において、切り替え前のチャネルの表示の欠落をなくすことができる。また、自動表示切り替えの構成における切り替え前のチャネル表示継続内容の自動録画が実現できるという効果が得られる。
【０１１５】
本願請求項９に係る発明によれば、以前自動切り替えしたチャネルが表示復帰可能になった場合に関して、そのまま切り替えるのではなく、同時録画を行っていた部分から順次再生することによって、切り替えられていた期間の表示を見逃すことなく、継続した状態で表示可能という機能を実現できるという効果が得られる。
【０１１６】
本願請求項１０に係る発明によれば、切り替えていた期間部分の再生と同時録画を行っている時間の時間のズレを表示させることによって、ユーザに実時間とのズレを認識させる機能を実現できるという効果が得られる。
【０１１７】
本願請求項１１に係る発明によれば、現在表示しているチャネルが優先である場合には、表示を遮ることなく、かつ突発的に発生した情報に対しての認識もできるという効果が得られる。
【０１１８】
本願請求項１２に係るデータ表示システムによれば、アナログ入力インタフェースのみの装置構成においても、優先情報に基づいた自動表示切り替えが実現できるという効果が得られる。
【０１１９】
本願請求項１３に係る発明によれば、突発的に発生する当該データ処理装置の状態を自動切り替えによって表示することにより、ユーザは見逃すことなく状態を認識できるという効果が得られる。
【０１２０】
本願請求項１４に係る発明によれば、突発的に発生する警告に対して自動切り替えによって表示することにより、ユーザは見逃すことなく警告を認識できるという効果が得られる。
【０１２１】
本願請求項１５に係る発明によれば、自動表示切り替えの構成における切り替え前のチャネル表示継続内容の自動的録画が実現できるという効果が得られる。
【０１２２】
本願請求項１６に係る発明によれば、以前自動切り替えしたチャネルが表示復帰可能になった場合に関して、そのまま切り替えるのではなく、同時録画を行っていた部分から順次再生することによって、切り替えられていた期間の表示を見逃すことなく、継続した状態で表示可能という機能を実現できるという効果が得られる。
【図面の簡単な説明】
【図１】本発明の実施の形態１に係るデータ表示システムの構成図
【図２】本発明の実施の形態１に係るデータ表示システムの機能ブロック図
【図３】図２の入出力制御部の機能ブロック図
【図４】本発明の実施の形態１に係るデータ表示システムのチャネル切り替え動作を表すフローチャート
【図５】表示制御部の表示データの表示動作と表示データ記録手段の表示データの録画動作とのタイミングを表すタイミング図
【図６】切替要求の優先度が低い場合におけるデータ表示システムのチャネル切り替え動作を表すフローチャート
【図７】本発明の実施の形態２に係るデータ表示システムの構成図
【図８】本発明の実施の形態２に係るデータ表示システムのチャネル切り替え動作を表すフローチャート
【符号の説明】
１，１’  データ表示システム
２  デジタルテレビ
３  ビデオ出力装置
４，４’  テレビプリンタ
５，５’  インターフォン
６  アナログ通信線
７  デジタル通信ネットワーク
１０  ネットワークインタフェース
１１  映像入力インタフェース
１２，１３，１４  外部入力インタフェース
１５  ネットワーク制御部
１６  入出力制御部
１７  表示制御部
１８  表示部
１９  表示データ記録手段
２０  一時録画手段
２１  復帰後再生手段
２２，２３  外部出力インタフェース
３０，４０，５０  ネットワークインタフェース
３１  映像出力インタフェース
３２，４２，５２  チャネル切替要求手段
３３，４３，５３  優先度設定手段
３４，４４，５４  表示データ出力手段
３５，４５，５５  切替解除指示手段
３６，４６，５６  テキスト情報送信手段
４１，５１  外部出力インタフェース
６０  チャネル切替手段
６１、６２、６３  信号検出回路
６４  拒否情報送信手段
６５  優先情報記憶手段
６６  チャネル記憶手段
６７  チャネル復帰手段
６８  ズレ時間表示手段
６９  テロップ表示手段
【図１】
2004193930.tif 000003
【図２】
2004193930.tif 000004
【図３】
2004193930.tif 000005
【図４】
2004193930.tif 000006
【図５】
2004193930.tif 000007
【図６】
2004193930.tif 000008
【図７】
2004193930.tif 000009
【図８】
2004193930.tif 000010